(57)【要約】本発明は、同一のデータをモバイル・ユニットに配信する方法を提供する。この方法は、疑似アドレスおよび対応する複数のモバイル・ユニット・アドレスの１つを示す情報を含む、複数の第１のメッセージを提供するステップを含む。この方法は、疑似アドレスおよび複数のモバイル・ユニット・アドレスによって示される複数のモバイル・ユニット行きのパケットのペイロードの一部を含む、少なくとも１つの第２のメッセージを提供するステップも含む。
2009545268.tif 000002
【特許請求の範囲】
【請求項１】
疑似アドレスを示す情報を含む複数の第１のメッセージを提供するステップであって、第１のメッセージのそれぞれが対応する複数のモバイル・ユニット・アドレスの１つを示す情報を含む、ステップと、
前記疑似アドレス、および前記複数のモバイル・ユニット・アドレスによって示される複数のモバイル・ユニット行きのパケットの一部を含む、少なくとも１つの第２のメッセージを提供するステップと
を含む方法。
【請求項２】
前記複数の第１のメッセージを提供するステップが、
前記複数のモバイル・ユニット行きの複数のパケットを受信するステップと、
前記複数のパケットが実質的に同一であると判定するステップと、
前記複数のモバイル・ユニット行きの前記複数の実質的に同一のパケットの受信に応答して、前記複数の第１のメッセージを提供するステップと
を含む、請求項１に記載の方法。
【請求項３】
前記少なくとも１つの第２のメッセージを提供するステップが、前記複数の第２のメッセージのペイロードが前記モバイル・ユニット行きのペイロード全体を示す情報を含むように複数の第２のメッセージを提供するステップを含む、請求項１に記載の方法。
【請求項４】
前記複数の第１のメッセージを提供するステップが、複数のセキュリティ・キーを含む前記複数の第１のメッセージを提供するステップを含む、請求項１に記載の方法。
【請求項５】
前記複数の第１のメッセージを提供するステップが、複数の第１の伝送速度で前記複数の第１のメッセージを提供するステップを含み、前記少なくとも１つの第２のメッセージを提供するステップが、第２の伝送速度で前記少なくとも１つの第２のメッセージを提供するステップを含む、請求項１に記載の方法。
【請求項６】
疑似アドレスおよび対応する複数のモバイル・ユニット・アドレスの１つを示す情報を含む複数の第１のメッセージの１つを受信するステップと、
前記疑似アドレスおよびパケットのペイロードの一部を含む少なくとも１つの第２のメッセージを受信するステップと
を含む方法。
【請求項７】
前記第１のメッセージを受信するステップが、複数のモバイル・ユニット行きの複数の実質的に同一のパケットの検出に応答して前記第１のメッセージを受信するステップを含む、請求項６に記載の方法。
【請求項８】
前記少なくとも１つの第２のメッセージを受信するステップが、前記複数の第２のメッセージの前記ペイロードが前記パケットの前記ペイロード全体を示す情報を含むように複数の第２のメッセージを受信するステップを含む、請求項６に記載の方法。
【請求項９】
前記第１のメッセージを受信するステップが、少なくとも１つのセキュリティ・キーを受信するステップを含み、前記少なくとも１つのセキュリティ・キーを受信するステップが、前記少なくとも１つの第２のメッセージの認証および復号の少なくとも１つ用の少なくとも１つのセキュリティ・キーを受信するステップを含む、請求項６に記載の方法。
【請求項１０】
前記第１のメッセージを受信するステップが、複数の第１の伝送速度の１つで前記第１のメッセージを受信するステップを含み、前記少なくとも１つの第２のメッセージを受信するステップが、第２の伝送速度で前記少なくとも１つの第２のメッセージを受信するステップを含む、請求項６に記載の方法。
【発明の詳細な説明】
【技術分野】
【０００１】
本発明は一般に通信システムに関し、より具体的には無線通信システムに関する。
【背景技術】
【０００２】
従来の無線通信システムは、エア・インタフェースを介した無線接続性を提供する１つまたは複数の装置を一般に含む。装置は、無線通信システムで実現される無線アクセス技術のタイプに応じて、基地局、基地局ルータ、アクセス・ポイント、等を含んでよい。例えば、ユニバーサル・モバイル・テレコミュニケーション・システム（ＵＭＴＳ）またはグローバル・システム・フォー・モバイル・コミュニケーション（ＧＳＭ）などの携帯電話システムでは、関連する地理的領域またはセル内の無線接続性を提供するために基地局が使用されてよい。別の例として、ブルートゥースまたはＩＥＥＥ標準の１つに従って実現されるＷｉＦｉシステムまたは短距離無線通信システムでは、空港ターミナルまたはコーヒー・ショップなどのホットスポット内の無線接続性を提供するためにアクセス・ポイントが使用されてよい。
【０００３】
モバイル・ユニットは、エア・インタフェースを介して基地局と通信できる。例示的なモバイル・ユニットは、携帯電話、携帯情報端末、スマートフォン、ページング装置、文字通信装置、グローバル・ポジショニング・システム（ＧＰＳ）装置、ネットワーク・インタフェース・カード、ノートブック・コンピュータ、デスクトップ・コンピュータ、等を含んでよい。例えば、モバイル・ユニットは、音声および／またはデータ情報、信号情報、ページング・メッセージ、ブロードキャスト・メッセージ、等を含むメッセージを送信および／または受信してよい。基地局は、典型的には１つまたは複数のネットワークと通信接続され、これにより、モバイル・ユニットは、同様にネットワークに通信接続された他の装置と通信できる。例えば、１つのモバイル・ユニットは、関連する基地局に接続されたネットワークを介して別のモバイル・ユニットと無線通信リンクを確立できる。別の例として、モバイル・ユニットは、ネットワークに接続されたサーバから情報を受信してよい。
【０００４】
ネットワークに接続されたサーバは、一般的にマルチキャストおよび／またはブロードキャスト技術を含むポイントツーマルチポイント通信技術またはポイントツーポイント通信技術のいずれかを使用してモバイル・ユニットに情報を送信できる。例えば、サーバから特定のモバイル・ユニットへのポイントツーポイント通信では、送信されるパケットは、メディア・アクセス制御（ＭＡＣ）レイヤ・アドレスなどのモバイル・ユニットを示す情報を含むパケット・ヘッダを含む。次いでパケットは、モバイル・ユニットに関連付けられた基地局に送信でき、基地局はパケットをエア・インタフェースを介して送信できる。各パケットは、エア・インタフェースを介して送信するために複数のメッセージに分割されてよい。各メッセージは、関連するモバイル・ユニット・アドレス、およびオリジナルのパケットのペイロードの一部を含む。エア・インタフェースが、多くの異なるモバイル・ユニット行きのパケットまたはメッセージを搬送することのできる共有媒体であるため、各モバイル・ユニットは、モバイル・ユニットのアドレスを含むパケットまたはメッセージのみを「リッスン」する。
【０００５】
ポイントツーマルチポイント通信は、サーバが複数のモバイル・ユニットに対して同一の情報を送信できるようにする。例えば、モバイル・ユニットのユーザは、サーバによって提供されるペイバービュー方式（視聴ごとに料金を支払う方式）のテレビ番組を受信するように加入できる。加入モバイル・ユニットは、ポイントツーマルチポイント送信用のマルチキャスト・アドレスまたはブロードキャスト・アドレスを割り当てられてよい。次いで、サーバは、ブロードキャスト／マルチキャスト・アドレスに情報を送信し、加入モバイル・ユニットはこのアドレスに関連付けられた送信を「リッスン」する。したがって、サーバは、マルチキャスト／ブロードキャスト・アドレスを使用して加入モバイル・ユニットにペイバービュー方式のテレビ番組に対応するパケットのストリームをマルチキャストまたはブロードキャストすることにより、すべての加入モバイル・ユニットにペイバービュー方式のテレビ番組をマルチキャストできる。
【０００６】
いくつかの場合では、単一の基地局によって異なるモバイル・ユニットに送信されるパケットの多重ストリームは同一であり得る。例えば、単一の基地局に関連付けられた２つの異なるモバイル・ユニット・アドレスにアドレス指定された２つのポイントツーポイント送信は、同一の情報を含み得る。別の例として、異なるマルチキャスト／ブロードキャスト・アドレスと関連付けられたマルチキャスト・データまたはブロードキャスト・データのストリームは、関連付けられた加入モバイル・ユニットに送信される同一のパケットまたはメッセージのストリームを含み得る。異なるアドレスのモバイル・ユニットに重複する情報を送信することは、エア・インタフェースと関連付けられる不足する無線伝送リソースの大部分を消費する可能性があり、エア・インタフェースの容量を潜在的に下げているので、望ましくない。
【発明の概要】
【発明が解決しようとする課題】
【０００７】
本発明は、上記の問題の１つまたは複数の影響に対処することに向けられている。以下は、本発明のいくつかの態様の基本的な理解を提供するために、本発明の簡易化した概要を示す。この概要は、本発明の網羅的な概説ではない。この概要は、本発明の重要または不可欠な要素を特定、または本発明の範囲を詳細に概説することを意図するものではない。この概要の唯一の目的は、後に論じられるより詳細な説明への導入部として簡易化した形でいくつかの概念を示すことである。
【課題を解決するための手段】
【０００８】
本発明の一実施形態では、モバイル・ユニットにマルチキャスト・データを配信するための方法が提供されている。この方法は、疑似アドレスおよび対応する複数のモバイル・ユニット・アドレスの１つを示す情報を含む複数の第１のメッセージを提供するステップを含む。この方法は、疑似アドレスおよび複数のモバイル・ユニット・アドレスによって示された複数のモバイル・ユニット行きのパケットのペイロードの一部を含む、少なくとも１つの第２のメッセージを提供するステップも含む。
【０００９】
本発明は、以下の説明を添付の図面と併せて参照することによって理解されよう。これらの図面では、同様の参照番号は同様の要素を特定する。
【図面の簡単な説明】
【００１０】
【図１】本発明による無線通信システムの１つの例示的な実施形態を概念的に示す図である。
【図２】本発明による、パケットをフラグメント化するための技術の第１の例示的な実施形態を概念的に示す図である。
【図３】本発明による、パケットをフラグメント化するための技術の第２の例示的な実施形態を概念的に示す図である。
【図４】本発明による、パケットをフラグメント化するための技術の第３の例示的な実施形態を概念的に示す図である。
【図５】本発明による、モバイル・ユニットに同一のデータを配信する方法の１つの例示的な実施形態を概念的に示す図である。
【００１１】
本発明は様々な修正形態および代替形態を許すものの、本発明の具体的な実施形態は図面の例によって示されており、本明細書内で詳しく説明する。ただし、具体的な実施形態の本明細書内での説明は、開示された特定の形式に本発明を限定することを意図するものではなく、むしろその意図は、添付の特許請求の範囲に定義される本発明の範囲内に含まれるすべての修正例、均等物および代替物を範囲に含ませることにあると理解されるべきである。
【発明を実施するための形態】
【００１２】
本発明の例示的な実施形態を以下に説明する。理解しやすいように、本明細書内では、実際の実現方法のすべての特徴を記載することはない。当然のことながら、任意のそのような実際の実施形態の開発においては、態様によって様々である、システム関連およびビジネス関連の制約への適合などの開発者の特定の目的を達成するために多数の態様に特有の判断がなされるべきであることが理解されよう。さらに、そのような開発努力は複雑で時間のかかるものである可能性があるものの、本開示の利益を受ける当業者の所定の取り組みである可能性があることが理解されよう。
【００１３】
本発明の一部および対応する詳細な説明は、ソフトウェア、すなわちコンピュータ・メモリ内のデータ・ビットに対する操作のアルゴリズムおよび記号的表現の見地から提示されている。これらの説明および表現は、当業者が自分の作業の内容を他の当業者に効率的に伝えるための説明および表現である。アルゴリズムとは、本明細書で使用される用語としても一般的に使用される用語としても、所望の結果に導く自己矛盾のない一連のステップであると考えられる。ステップとは、物理的数量の物理的な操作を必要とするステップである。通常、これらの数量は格納、転送、組み合わせ、比較、および他の形で操作されることが可能な光信号、電気信号または磁気信号の形をとるが、これは必須ではない。主に通常の使用上の理由で、ときにはこれらの信号をビット、値、要素、記号、文字、用語、数等で示すと便利であることがわかっている。
【００１４】
しかし、これらのおよび同様の用語のすべては、適切な物理的な数量に関連付けられるもので、これらの数量に適用された便利なラベルにすぎないということに留意されたい。別段の定めが具体的にある場合、または説明上明らかな場合を除き、「処理」、「演算」、「計算」、「判定」、「表示」、等の用語は、コンピュータ・システムのレジスタおよびメモリ内で物理的、電子的な量で表されるデータを操作および変換して、コンピュータ・システム・メモリまたはレジスタまたは他のそのような情報格納、送信または表示装置内の物理的な量として同様に表される他のデータに変える、コンピュータ・システムまたは同様の電子計算装置の動作および処理を指す。
【００１５】
本発明のソフトウェアで実現される態様は、典型的には何らかの形のプログラム格納媒体上にコード化または何らかのタイプの伝送媒体を介して実現されることにも留意されたい。プログラム格納媒体は磁気的（例えばフロッピー（登録商標）・ディスクまたはハード・ドライブ）または光学的（例えばコンパクト・ディスク読み取り専用メモリすなわち「ＣＤ―ＲＯＭ」）であってよく、読み取り専用であってもランダム・アクセスであってもよい。同様に、伝送媒体はツイストペア線、同軸ケーブル、光ファイバまたは当技術分野で知られている他の何らかの好適な伝送媒体であってよい。本発明は、任意の所与の実現形態におけるこれらの態様によって限定されることはない。
【００１６】
本発明を添付の図面を参照してこれから説明する。説明する目的でのみ、および当業者によく知られている詳細について本発明を不明瞭にしないように様々な構成、システムおよび装置を概略的に図面に示す。しかしながら、本発明の例示的な例を示し、説明するために添付の図面を含める。本明細書内で使用する語および語句は、当業者によるそれらの語および語句の理解と一致する意味を持つように理解および解釈されるべきである。語および語句の特別の定義、すなわち当業者によって理解される通常のおよび習慣的な意味とは異なる定義のいかなるものも、本明細書内の語および語句の一貫した使用によって意味に含めることを意図しない。語および語句が特別な意味、すなわち当業者が理解する意味とは異なる意味を持つことを意図する限りにおいては、そのような特別な定義は、その語および語句の特別な定義を直接的におよび明白に行う定義方法で本明細書内に明示的に規定する。
【００１７】
図１は、無線通信システム１００の１つの例示的な実施形態を概念的に示す。示された実施形態では、無線通信システム１００は、ネットワーク１０５を含む。ネットワーク１０５は、様々な宛先間でパケットを送信するために使用され、有線および／または無線の部分を含んでよい。したがって、ネットワーク１０５は、インターネット・プロトコル（ＩＰ）、ならびにユニバーサル・モバイル・テレコミュニケーション・システム（ＵＭＴＳ）、グローバル・システム・フォー・モバイル・コミュニケーション（ＧＳＭ）、符号分割多重アクセス（ＣＤＭＡ、ＣＤＭＡ２０００）、ＷｉＦｉ、ブルートゥース、ＩＥＥＥ８０２標準、ポイントツーポイント・プロトコル（ＰＰＰ）、ユーザ・データグラム・プロトコル（ＵＤＰ）、等などのために規定された他の様々な有線および／または無線の通信規格および／またはプロトコルに従って機能してよい。
【００１８】
１つまたは複数のアクセス・ポイント１１０（１〜２）は、ネットワ−ク１０５に通信接続されている。添数（１〜２）は個別のアクセス・ポイント１１０（１〜２）または個別のアクセス・ポイント１１０（１〜２）のサブセットを示すために使用できる。しかし、添数（１〜２）は、アクセス・ポイント１１０を集合的に参照する場合は省略されてよい。この慣習は、図面に示され、番号および１つまたは複数の区別的な添数を使用して参照される他の要素に適用できる。示された実施形態では、アクセス・ポイント１１０は、ＷｉＦｉ標準および／またはプロトコルに従って無線接続性を提供する。しかし、本開示の利益を受ける当業者は、本発明がＷｉＦｉ標準および／またはプロトコルに従って機能するアクセス・ポイント１１０に限定されないことを十分に理解されたい。代替の実施形態では、無線接続を提供可能な任意の装置または装置の組み合わせが、アクセス・ポイント１１０の代わりにまたはアクセス・ポイント１１０に追加して使用されてよい。例えば、基地局、基地局ルータおよび同様の装置が、無線通信システム１００内の無線接続性を提供するために代替的に使用されてよい。
【００１９】
無線通信システム１００は、複数のモバイル・ユニット１１５も含む。例示的なモバイル・ユニットは、携帯電話、携帯情報端末、スマートフォン、ページング装置、文字通信装置、グローバル・ポジショニング・システム（ＧＰＳ）装置、ネットワーク・インタフェース・カード、ノートブック・コンピュータ、デスクトップ・コンピュータ、等を含んでよい。図１には４つのモバイル・ユニット１１５を示すものの、本開示の利益を受ける当業者は、無線通信システム１００は任意の数のモバイル・ユニット１１５に対して無線接続性を提供できることを理解されたい。一実施形態では、モバイル・ユニット１１５は、基地局１１０の１つまたは複数と無線通信リンクを確立してよい。例えば、モバイル・ユニット１１５（１）と１１５（４）とは、基地局１１０およびネットワーク１０５を介してポイントツーポイント接続を確立でき、これによりモバイル・ユニット１１５（１）のユーザと１１５（４）のユーザとは通信でき、例えば、ユーザ同士が会話できる。モバイル・ユニット１１５は、基地局１１０の１つまたは複数を介してポイントツーマルチポイントまたはマルチキャスト伝送を受信することもできる。
【００２０】
示された実施形態では、無線通信システム１００は、モバイル・ユニット１１５の１つまたは複数に対して実質的に同一の情報のストリームを提供するように構成されたサーバ１２０を含む。本明細書内で使用されるとおり、「実質的に」という用語は、多重ストリーム内の情報が、選択された許容差内でほぼ同時に同一のコンテンツを運ぼうとすることを示すことを意図する。しかし、本開示の利益を受ける当業者は、各ストリーム内の情報（または情報の表現）は厳密には同一でなくてよく、厳密には同時に提供されなくてよいことを十分に理解されたい。その差異は、例えば異なるサービス・レベルが提供される場合などでは意図的なものであり得て、または例えば干渉、移動時差、等に起因する場合は、意図的でないものになり得る。例えば、図１に示すモバイル・ユニット１１５のユーザは、サーバ１２０によって提供されるＩＰＴＶまたはペイバービュー・サービスなどの１つまたは複数のマルチキャスト・サービスに加入している可能性がある。したがって、サーバ１２０は、ネットワーク１０５を介して適切な基地局１１０に対してマルチキャスト・データの多重ストリーム１２５を提供してよい。次いで、基地局１１０は、エア・インタフェースを介してモバイル・ユニット１１５の１つまたは複数に対して多重ストリーム１２５に含まれる情報を送信してよい。
【００２１】
多重ストリーム１２５のそれぞれは、加入モバイル・ユニット１１５の１つに対してアドレス指定されたパケットを送信する。したがって、多重ストリーム１２５に含まれるパケットのヘッダは、以下で詳しく論じるとおり関連付けられた加入モバイル・ユニット１１５の宛先アドレスを含んでよい。多重ストリーム１２５内で送信されるパケットのペイロードは、実質的に同一の情報を含んでよく、実質的に同時に送信されてよい。本明細書内で使用されるとおり、「実質的に」という用語は、多重ストリーム１２５内のパケットが、選択された許容差内でほぼ同時に同一のコンテンツを示す情報を運ぶことを示すことを意図する。しかし、本開示の利益を受ける当業者は、各ストリーム１２５内の送信されるおよび／または受信されるパケットは厳密には同一でなくてよく、厳密には同時にモバイル・ユニット１１５に到達しなくてよいことを十分に理解されたい。その差異は、例えばモバイル・ユニット１１５が異なるサービス・レベルに加入する場合などでは意図的なものであり得て、または例えば干渉、移動時差、等に起因する場合は、意図的でないものになり得る。
【００２２】
示された実施形態では、基地局１１０（２）は、モバイル・ユニット１１５（３〜４）行きのマルチキャスト・ストリーム１２５（３〜４）からデータをそれぞれ受信する。マルチキャスト・ストリーム１２５（３〜４）は、エア・インタフェースを介して送信される前により小さいメッセージにセグメント化可能なＩＰパケットのストリームを含む。基地局１１０（２）は、以下で詳しく論じるとおり、ストリーム１２５（３〜４）内のパケットが実質的に同一の情報を含むかどうかおよび／または同一のパケットが指定した許容時間内または遅延内に到達したかどうかを判定することができる。基地局１１０（２）が、ストリーム１２５（３〜４）内のパケットが実質的に同一の情報でない、または同一のパケットが実質的に同時に到達していないと判定した場合、基地局１１０（２）はパケットを別個のメッセージ・セットへとフラグメント化し、エア・インタフェースを介して両方のメッセージ・セットを送信することができる。
【００２３】
図２は、パケット２００をフラグメント化するための技術の第１の例示的な実施形態を概念的に示す。示された実施形態では、パケット２００は、ヘッダ２０５およびペイロード２１０を含むＩＰパケットである。パケット２００は、ペイロード２１０を部分２１５に分割することによってフラグメント化されてよい。図２には４つの部分２１５を示すものの、本開示の利益を受ける当業者は、任意の数の部分２１５が使用されてよいことを十分に理解されたい。様々な代替の実施形態では、部分２１５の数は、ペイロード２１０のサイズ、送信装置、エア・インタフェースおよび／または受信装置などの特徴および／または機能など考慮すべき要素に応じて変更されてよい。
【００２４】
次に部分２１５は、図１に示すモバイル・ユニット１１５（３）などの加入モバイル・ユニット行きの複数のメッセージ２２０に組み込まれてよい。示された実施形態では、第１のメッセージ２２０（１）は、ＭＡＣアドレスなど、宛先モバイル・ユニットを特定する情報（宛先Ａ）、ヘッダ２０５および第１の部分２１５（１）を含む。残りのメッセージ２２０（２〜４）は、宛先モバイル・ユニットを特定する情報（宛先Ａ）および部分２１５（２〜４）をそれぞれ含む。次にメッセージ２２０は、エア・インタフェースを介して送信され、宛先モバイル・ユニットによって受信されてよく、この宛先モバイル・ユニットは、メッセージ２２０のそれぞれに含まれる宛先モバイル・ユニットを特定する情報（宛先Ａ）に基づき、メッセージ２２０を「リッスン」すべきかどうかを判定する。
【００２５】
実質的に同一の情報を含まない、または指定された許容時間内に受信されない他のストリームからのパケット（図示せず）は、追加メッセージ２２５を構成するために使用されてよい。追加メッセージ２２５（１）は、ＭＡＣアドレスなど、他の宛先モバイル・ユニットを特定する情報（宛先Ｂ）、ヘッダ２３０および他のストリームからのパケットの第１の部分２３５（１）を含む。メッセージ２２５（２〜４）は、宛先モバイル・ユニットを特定する情報（宛先Ｂ）およびパケットの残りの部分２１５（２〜４）をそれぞれ含む。次にメッセージ２２５は、エア・インタフェースを介して送信され、宛先モバイル・ユニットによって受信されてよく、この宛先モバイル・ユニットは、メッセージ２２５のそれぞれに含まれる宛先モバイル・ユニットを特定する情報（宛先Ｂ）に基づき、メッセージ２２５を「リッスン」すべきかどうかを判定する。
【００２６】
図１に戻り、基地局１１０（１）は、モバイル・ユニット１１５（１〜２）行きのマルチキャスト・ストリーム１２５（１〜２）からデータをそれぞれ受信する。マルチキャスト・ストリーム１２５（１〜２）は、エア・インタフェースを介して送信される前により小さいメッセージにセグメント化可能なＩＰパケットのストリームを含む。基地局１１０（１）は、以下で詳しく論じるとおり、ストリーム１２５（１〜２）内のパケットが実質的に同一の情報を含むかどうかおよび／または同一のパケットが指定した許容時間内に到達したかどうかを判定することができる。基地局１１０（１）が、ストリーム１２５（１〜２）内のパケットが実質的に同一の情報を含む、および同一のパケットが受け入れることのできる許容時間内に到達していると判定した場合、基地局１１０（１）は、加入モバイル・ユニット１１５（１〜２）がいくつかのまたはすべての部分に情報を含む同一のメッセージを受信または「リッスン」できるようにする方法で、同一のパケットの１つを送信可能な各部分にフラグメント化することができる。
【００２７】
図３は、パケット３００をフラグメント化するための技術の第２の例示的な実施形態を概念的に示す。示された実施形態では、パケット３００は、ヘッダ３０５およびペイロード３１０を含むＩＰパケットである。パケット３００は、複数のモバイル・ユニット行きのデータの多重ストリームの一部としてアクセス・ポイントによって受信される複数の実質的に同一なパケットの１つである。一実施形態では、実質的に同一のパケットは、１つまたは複数のマルチキャストまたはブロードキャスト・ストリームの一部である。代替として、実質的に同一のパケットは、意図的にまたは偶然に実質的に同一の情報を含む複数のユニキャスト（ポイントツーポイント）データ・ストリームに含まれてよい。パケット３００は、ペイロード３１０を各部分３１５に分割することによってフラグメント化されてよい。図３には３つの部分３１５を示すものの、本開示の利益を受ける当業者は、任意の数の部分３１５が使用されてよいことを十分に理解されたい。様々な代替の実施形態では、部分３１５の数は、ペイロード３１０のサイズ、送信装置、エア・インタフェースおよび／または受信装置などの特徴および／または機能など考慮すべき要素に応じて変更されてよい。
【００２８】
複数のメッセージ３２０は、パケット３００の部分を使用して構成されてよい。メッセージ３２０のそれぞれは、異なるモバイル・ユニット行きであり、そのためメッセージ３２０は、宛先モバイル・ユニットを示す情報（宛先Ａ、宛先Ｂ）を含む。メッセージ３２０は、ヘッダ３０５およびいくつかの実施形態ではペイロード３１０の一部を含んでもよいが、これは図３には示されていない。メッセージ３２０は、本明細書で以下に疑似アドレス３２５と称する情報も含んでおり、これにより加入モバイル・ユニットは、後に続くメッセージ３３０がそのモバイル・ユニット行きかどうかを判定できるようになる。一実施形態では、疑似アドレス３２５は、パケット３００に示される個別のモバイル・ユニット・アドレスと異なる別の情報を含む。しかし、代替の実施形態では、２つ以上のモバイル・ユニットがメッセージ３３０内の情報にアクセスできるように、疑似アドレス３２５を構成するために任意の情報が使用されてよい。
【００２９】
メッセージ３２０、３３０は、エア・インタフェースを介して加入モバイル・ユニットに送信されてよい。メッセージ３２０に示された各宛先モバイル・ユニットは、対応するメッセージ３２０を受信し、含まれる情報を使用して疑似アドレス３２５を判定することができる。次いで、宛先モバイル・ユニットは、疑似アドレス３２５を使用してメッセージ３３０を受信してよい。その結果、複数の同一のパケットの１つであるパケット３００内のペイロード３１０の一部またはすべてが、すべてのモバイル・ユニット行きの単一のメッセージ３３０のグループを使用して２つ以上の宛先モバイル・ユニットに送信されてよい。
【００３０】
図４は、パケット４００をフラグメント化するための技術の第３の例示的な実施形態を概念的に示す。第３の例示的な実施形態は、図３に示す第２の例示的な実施形態と類似する。しかし、第３の例示的な実施形態は、異なる宛先モバイル・ユニットに別々に送信される初期メッセージ４０５が、メッセージ４１５内で送信される情報を暗号化および／または復号するために使用できる１つまたは複数のセキュリティ・キー４１０も含むという点で、第２の例示的な実施形態とは異なる。したがって、第３の例示的な実施形態は、エア・インタフェースを介した送信用の追加的なセキュリティを提供できる。
【００３１】
図５は、モバイル・ユニットに実質的に同一のデータを配信する方法５００の１つの例示的な実施形態を概念的に示す。示された実施形態では、データの多重ストリームからのパケットは、（５０５で）例えばアクセス・ポイント、基地局または基地局ルータで受信される。次いで、パケットは、（５１０で）パケットの２つ以上が実質的に同一の情報を含むかどうかを判定するために分析されてよい。一実施形態では、（５１０で）パケットのコンテンツは、パケットが実質的に同一の情報を含むかどうかを判定するために比較されてよい。例えばアクセス・ポイントは、異なるデータ・ストリームからのパケットを無作為に選択し、（５１０で）それらのパケットが実質的に同一かどうかを判定するためにそれらのパケットを比較してよい。代替として、多重ストリームが実質的に同一の情報を含むことを示すために、多重ストリーム内のパケットにタグまたはトークンが組み込まれてもよい。その場合、パケットはこれらのタグおよび／またはトークンがあるかどうかを調べられてよい。
【００３２】
一実施形態では、パケットと関連付けられる他の情報は、（５１０で）妥当な確度の範囲内でパケットが実質的に同一の情報を含むかどうかを判定するために分析されてよい。例えば、出所アドレス、宛先ポートおよびエラー検査ビット（周期冗長検査ビットなど）が比較されてよい。これらのアドレス、ポートおよびエラー・ビットがパケットに関して同じ場合、これらのパケットが実質的に同一の情報を含む可能性が極めて高い。この実施形態は、有利には（５１０で）パケットに含まれる情報のごく一部を比較することにより、パケットが（少なくとも許容できる確度の範囲内で）実質的に同一の情報を含むかどうかを判定することができ、その結果、例えばアクセス・ポイント、基地局、基地局ルータまたは他のエンティティにおいて、不足した計算資源を節約する。
【００３３】
一実施形態では、パケットの到達時間も、（５１０で）指定した時間内にパケットが到達したかどうかまたは送信されるべきかどうかを判定するために分析されてよい。例えば、パケットの到達および／または送信が特定の遅延制約を満たすことを必要とすることがある。したがって、これらの遅延制約を満たす時間において同一のパケットが到達している、到達することが予期される、かつ／または送信される必要がある場合、（５１０で）これらのパケットは実質的に同一であると判定されてよい。しかし、パケットが遅延した場合に遅延制約を満たすことができず、そのためそれらがフラグメント化されて、上記のように疑似アドレスによって示される単一のメッセージ・セットで、送信され得る場合、（５１０で）これらのパケットは実質的に同一であると判定されなくてよい。
【００３４】
同一であると判定されない異なるストリームと関連付けられたパケットは、異なるメッセージ・セットへとフラグメント化されてよく、（５１５で）フラグメント化されたメッセージ・セットは、上記のように適切なモバイル・ユニットに別個に送信されてよい。しかし、パケットの２つ以上が実質的に同一であると判定された場合、パケットの１つが、対応する複数のモバイル・ユニット行きの複数の第１のメッセージを含む各メッセージへとフラグメント化されてよい。複数の第１のメッセージのそれぞれは、疑似アドレスを含む。パケットは、上記のように疑似アドレスおよびパケット・ペイロードの一部を含む１つまたは複数の第２のメッセージへとフラグメント化されてもよい。第１のメッセージは、（５２０で）これらのメッセージの疑似アドレスにアクセス可能な複数のモバイル・ユニットに送信されてよい。次いで、（５２５で）第２のメッセージは、疑似アドレスを使用してこれらのメッセージおよびペイロード部分にアクセス可能な複数のモバイル・ユニットに送信されてよい。
【００３５】
フラグメント化されたメッセージ内の情報に複数のモバイル・ユニットがアクセスできるようにする疑似アドレスによって示される単一のメッセージ・セットへと同一のパケットをフラグメント化することにより、特に、複数の同一のデータ・ストリームが同一の基地局によって供せられる複数のモバイル・ユニットに送信される場合に、同一の情報の冗長伝送を削減するまたはなくすことができる。多重ストリーム内の同一のパケットからのペイロードの冗長伝送を削減または削除することにより、エア・インタフェースの容量を高めることができ、不足した無線資源を節約することができる。
【００３６】
上記に開示した具体的な実施形態は単に例示的なものであり、本発明は、本明細書の教示の利益を受ける当業者に明らかな、異なるものの同等な方法により修正および実践されてよい。さらに、本明細書内に示す構成または設計の詳細に対しては、添付の特許請求の範囲に記載する以外の限定を意図するものではない。したがって、上記に開示した具体的な実施形態は変更または修正されてよく、そのようなすべての改変は本発明の範囲内にあると見なされることは明らかである。したがって、本明細書内で要求する保護は、添付の特許請求の範囲に記載する通りである。
【図１】
2009545268.tif 000003
【図２】
2009545268.tif 000004
【図３】
2009545268.tif 000005
【図４】
2009545268.tif 000006
【図５】
2009545268.tif 000007
【国際調査報告】
2009545268.tif 000008
2009545268.tif 000009
2009545268.tif 000010